(57)【要約】【課題】プリント基板のグランドパターンとヨークとの接続をアースターミナルを介して簡単かつ確実に行うことができるモータのアース構造を提供する。【解決手段】有底円筒状のヨーク１１と、ヨーク１１のフランジ部１１ｂをネジ１２及びナット１３を介して締結固定して該開口部１１ａを閉塞するギヤケース１４と、ギヤケース１４にネジ１５を介して締結固定されるプリント基板１６と、プリント基板１６のグランドパターン１７とヨーク１１とを接続させるアースターミナル２０を備えたモータ１０のアース構造において、該ターミナル２０のコ字状のナット接続部２１をネジ１２を介してフランジ部１１ｂとナット１３間に接続自在にし、該ターミナル２０の湾曲状の基板接続部２２をネジ１５を介してギヤケース１４とプリント基板１６のグランドパターン１７間に接続自在にした。【選択図】図１
2007181343.tif 000002
【特許請求の範囲】
【請求項１】
ヨークと、このヨークの開口部に設けられたフランジ部をヨーク固定用ネジ及びナットを介して締結固定して該開口部を閉塞するギヤケースと、このギヤケースに基板固定用ネジを介して締結固定されるプリント基板と、このプリント基板のグランドパターンと前記ヨークとを接続させるアースターミナルとを備えたモータのアース構造において、
前記アースターミナルの一端部側を前記ヨーク固定用ネジを介して前記フランジ部と前記ナット間に接続自在にすると共に、該アースターミナルの他端部側を前記基板固定用ネジを介して前記ギヤケースと前記プリント基板のグランドパターン間に接続自在にしたことを特徴とするモータのアース構造。
【請求項２】
請求項１記載のモータのアース構造であって、
前記アースターミナルの一端部側に前記ナットを収容するコ字状のナット接続部を、他端部側に基板接続部をそれぞれ形成すると共に、中央部に逆コ字状の折曲部を形成したことを特徴とするモータのアース構造。
【請求項３】
請求項２記載のモータのアース構造であって、
前記アースターミナルの逆コ字状の折曲部に対向する前記ギヤケースの位置に突起を設けたことを特徴とするモータのアース構造。
【請求項４】
請求項２又は請求項３記載のモータのアース構造であって、
前記アースターミナルの基板接続部を前記プリント基板側に円弧凸状に湾曲形成したことを特徴とするモータのアース構造。
【発明の詳細な説明】
【技術分野】
【０００１】
本発明は、電気ノイズを低減させるＥＭＣ（電磁適合性）対策に用いて好適なモータのアース構造に関する。
【背景技術】
【０００２】
この種のモータのアース構造として、図５に示すものがある（例えば、特許文献１参照。）。
【０００３】
このモータ１は、図５に示すように、金属製のヨーク２と金属製のカバー３との間に樹脂製のブラシ保持プレート４を介在してある。このブラシ保持プレート４の中央にはアーマチュアシャフト５のコンミュテータ６を貫通させる貫通孔４ａを形成してあると共に、該ブラシ保持プレート４の上面側にはプリント基板７を配置してある。
【０００４】
このプリント基板７の上面に形成されたグランドパターン７ａにはノイズ除去手段としてのコンデンサ８をマウントしてあると共に、接点接続ばね９の基端部９ａを半田付けしてある（この半田付け部分を図５中符号Ｈで示す）。この接点接続ばね９の中途部９ｂはブラシ保持プレート４を貫通しており、そのＵ字状に湾曲した先端部９ｃはヨーク２の内面２ａに接触している。
【０００５】
そして、コンミュテータ６の周辺で発生した電気ノイズ（電磁波）は、ヨーク２の内面２ａから接点接続ばね９を介してプリント基板７のコンデンサ８へ流れて除去される。
【０００６】
【特許文献１】特表２００２−５３４０４６号公報
【発明の開示】
【発明が解決しようとする課題】
【０００７】
しかしながら、前記従来のモータ１のアース構造では、接点接続ばね９の基端部９ａをプリント基板７のグランドパターン７ａに半田付けにより接続させて、その先端部９ｃをヨーク２の内面２ａに弾性的に押し付けているため、上記接点接続ばね９の先端部９ｃをヨーク２の内面２ａに強い押し付け力で接触させて安定した接続状態を得ようとすると、上記半田付け部分Ｈにクラック等が発生し易くなり、常に安定したノイズの遮蔽効果を得ることができなかった。
【０００８】
そこで、本発明は、前記した課題を解決すべくなされたものであり、プリント基板のグランドパターンとヨークとの接続をアースターミナルを介して簡単かつ確実に行うことができるモータのアース構造を提供することを目的とする。
【課題を解決するための手段】
【０００９】
請求項１の発明は、ヨークと、このヨークの開口部に設けられたフランジ部をヨーク固定用ネジ及びナットを介して締結固定して該開口部を閉塞するギヤケースと、このギヤケースに基板固定用ネジを介して締結固定されるプリント基板と、このプリント基板のグランドパターンと前記ヨークとを接続させるアースターミナルとを備えたモータのアース構造において、前記アースターミナルの一端部側を前記ヨーク固定用ネジを介して前記フランジ部と前記ナット間に接続自在にすると共に、該アースターミナルの他端部側を前記基板固定用ネジを介して前記ギヤケースと前記プリント基板のグランドパターン間に接続自在にしたことを特徴とする。
【００１０】
請求項２の発明は、請求項１記載のモータのアース構造であって、前記アースターミナルの一端部側に前記ナットを収容するコ字状のナット接続部を、他端部側に基板接続部をそれぞれ形成すると共に、中央部に逆コ字状の折曲部を形成したことを特徴とする。
【００１１】
請求項３の発明は、請求項２記載のモータのアース構造であって、前記アースターミナルの逆コ字状の折曲部に対向する前記ギヤケースに突起を設けたことを特徴とする。
【００１２】
請求項４の発明は、請求項２又は請求項３記載のモータのアース構造であって、前記アースターミナルの基板接続部を前記プリント基板側に円弧凸状に湾曲形成したことを特徴とする。
【発明の効果】
【００１３】
以上説明したように、請求項１の発明によれば、アースターミナルの一端部側をヨーク固定用ネジを介してヨークのフランジ部とナット間に接続自在にすると共に、該アースターミナルの他端部側を基板固定用ネジを介してギヤケースとプリント基板のグランドパターン間に接続自在にしたことにより、ギヤケースにヨークのフランジ部をヨーク固定用ネジ及びナットを介して締結固定すると共に、ギヤケースにプリント基板を基板固定用ネジを介して締結固定する際に、アースターミナルの両端部がヨーク固定用ネジ及びナットと基板固定用ネジを介してそれぞれ締結固定されるため、ヨークのフランジ部とプリント基板のグランドパターンとをアースターミナルを介して簡単かつ確実に接続させることができる。
【００１４】
請求項２の発明によれば、アースターミナルの一端部側にナットを収容するコ字状のナット接続部を、他端部側に基板接続部をそれぞれ形成すると共に、中央部に逆コ字状の折曲部を形成したことにより、簡単な構造のアースターミナルにより、ヨークのフランジ部とプリント基板のグランドパターンとを確実に接続させることができる。
【００１５】
請求項３の発明によれば、アースターミナルの逆コ字状の折曲部に対向するギヤケースの位置に突起を設けたことにより、この突起によりアースターミナルの基板接続部をプリント基板のグランドパターンに付勢させて両者を確実に接触させることができる。
【００１６】
請求項４の発明によれば、アースターミナルの基板接続部をプリント基板側に円弧凸状に湾曲形成したことにより、アースターミナルのプリント基板側に円弧凸状に湾曲形成した基板接続部をプリント基板のグランドパターンに確実に接触させることができる。
【発明を実施するための最良の形態】
【００１７】
以下、本発明の一実施形態を図面に基づいて説明する。
【００１８】
図１は本発明の一実施形態のモータのアース構造を示す要部の断面図、図２は同アース構造を適用したモータの底面図、図３（ａ）は同アース構造に用いられるアースターミナルの側面図、図３（ｂ）は同アースターミナルの断面図、図４は同アースターミナルを締結固定する前の図２中Ｘ−Ｘ線に沿う断面図である。
【００１９】
図１及び図２に示すように、モータ１０は、金属製で有底円筒状のヨーク１１と、このヨーク１１の開口部１１ａに設けられたフランジ部１１ｂをヨーク固定用ネジ１２及びナット１３を介して締結固定して該開口部１１ａを閉塞する合成樹脂製のギヤケース１４と、このギヤケース１４の底部１４ａに基板固定用ネジ１５を介して締結固定されるプリント基板１６と、このプリント基板１６のグランドパターン（銅箔）１７とヨーク１１のフランジ部１１ｂとを接続させるアースターミナル２０とを備えている。
【００２０】
図１及び図２に示すように、ギヤケース１４のヨーク１１のフランジ部１１ｂが当接する突出端部１４ｂには、ナット１３が収容される凹部１４ｃまで延びるネジ挿通孔１４ｄを形成してある。このネジ挿通孔１４ｄにはヨーク固定用ネジ１２が挿通されるようになっている。また、ギヤケース１４の突出端部１４ｂの側面１４ｅの後述するアースターミナル２０の逆コ字状の折曲部２３に対向する位置には半球状の突起１４ｆを一体突出形成してある。さらに、ギヤケース１４の底部１４ａの突出端部１４ｂ寄りの位置には、基板固定用ネジ１５が螺合されるネジ孔１４ｇを形成してある。
【００２１】
図１及び図４に示すように、プリント基板１６の上面１６ａ及び下面１６ｂには、グランドパターン１７及びグランドパターン（銅箔）１８を形成してある。また、プリント基板１６のコーナ部には各グランドパターン１７，１８の一端部を貫通するようにネジ挿通孔１６ｃを形成してある。さらに、プリント基板１６の上面１６ａのグランドパターン１７の他端部にはノイズ除去手段としてのコンデンサ１９をマウントしてある。これらグランドパターン１７とコンデンサ１９とで電気ノイズを除去するＥＭＣ（電磁適合性）回路が構成されている。
【００２２】
図１，図３，図４に示すように、アースターミナル２０は、その一端部側にナット１３を収容するコ字状のナット接続部２１を形成してあると共に、その他端部側に基板接続部２２を形成してある。また、アースターミナル２０の中央部には逆コ字状の折曲部２３を形成してある。これらアースターミナル２０のコ字状のナット接続部２１と基板接続部２２及び逆コ字状の折曲部２３は折り曲げ加工等により一体成形されており、該基板接続部２２はプリント基板１６側に円弧凸状に湾曲形成してある。さらに、図３（ｂ）に示すように、アースターミナル２０のコ字状のナット接続部２１の中央にはヨーク固定用ネジ１２が貫通する一対のネジ貫通孔２１ａ，２１ａを形成してあると共に、円弧凸状の基板接続部２２の中央には基板固定用ネジ１５が貫通するネジ貫通孔２２ａを形成してある。
【００２３】
そして、図１及び図４に示すように、アースターミナル２０のコ字状のナット接続部２１は、該コ字状のナット接続部２１内にナット１３を収容した状態でギヤケース１４の突出端部１４ｂの凹部１４ｃ内に収容されるようになっている。この際、アースターミナル２０の中央部の逆コ字状の折曲部２３がギヤケース１４の凹部１４ｃより後側の突出端部１４ｂに嵌め込まれるように当接すると共に、アースターミナル２０の円弧凸状の基板接続部２２がプリント基板１６をギヤケース１４の底部１４ａに締結固定する基板固定用ネジ１５を介してギヤケース１４の底部１４ａにその弾性付勢力に抗して当接するようになっている。
【００２４】
以上実施形態のモータ１０のアース構造によれば、図１及び図４に示すように、アースターミナル２０のコ字状のナット接続部２１を該コ字状のナット接続部２１内に収容されたナット１３に螺合されるヨーク固定用ネジ１２を介してヨーク１１のフランジ部１１ｂとナット１３間に接続自在すると共に、アースターミナル２０の円弧凸状の基板接続部２２を基板固定用ネジ１５を介してギヤケース１４の底部１４ａとプリント基板１６のグランドパターン１７間に接続自在にしたことにより、ギヤケース１４の突出端部１４ｂにヨーク１１のフランジ部１１ｂをヨーク固定用ネジ１２及びナット１３を介して締結固定すると共に、ギヤケース１４の底部１４ａにプリント基板１６を基板固定用ネジ１５を介して締結固定する際に、アースターミナル２０の両端のコ字状のナット接続部２１と湾曲状の基板接続部２２がヨーク固定用ネジ１２及びナット１３と基板固定用ネジ１５を介してそれぞれ締結固定されるため、ヨーク１１のフランジ部１１ｂとプリント基板１６のグランドパターン１７とを熱変形等の影響を受けることなくアースターミナル２０を介して簡単かつ確実に接続させることができる。
【００２５】
そして、モータ１０の図示しないアーマチュアシャフトのコンミュテータの周辺で発生した電気ノイズ（電磁波）は、ヨーク１１のフランジ部１１ｂからヨーク固定用ネジ１２とナット１３とアースターミナル２０及び基板固定用ネジ１５を経てプリント基板１６のコンデンサ１９へ流れて除去される。
【００２６】
このように、アースターミナル２０の一端部側にナット１３を収容するコ字状のナット接続部２１を、他端部側に基板接続部２２をそれぞれ形成すると共に、中央部に逆コ字状の折曲部２３を一体形成したことにより、簡単な構造のアースターミナル２０により、ヨーク１１のフランジ部１１ｂとプリント基板１６のグランドパターン１７とを簡単かつ確実に接続させることができる。
【００２７】
また、ギヤケース１４の突出端部１４ｂの側面１４ｅのアースターミナル２０の逆コ字状の折曲部２３に対向する位置に半球状の突起１４ｆを一体突出形成したことにより、この半球状の突起１４ｆによりアースターミナル２０の基板接続部２２をプリント基板１６のグランドパターン１７に確実に付勢させることができる。これにより、ヨーク１１のフランジ部１１ｂとプリント基板１６のグランドパターン１７とを熱変形等の影響を受けることなく確実に接触させることができる。
【００２８】
さらに、アースターミナル２０の基板接続部２２をプリント基板１６のグランドパターン１７側に円弧凸状に湾曲形成したことにより、アースターミナル２０の湾曲状の基板接続部２２をプリント基板１６のグランドパターン１７に確実に接触させることができる。
【００２９】
尚、前記実施形態によれば、アースターミナルの他端部側の基板接続部をプリント基板のグランドパターン側に円弧凸状に湾曲形成したが、アースターミナルの他端部側の基板接続部をギヤケースの底部側に円弧凸状に湾曲形成したり、ストレートの板状に形成しても良いことは勿論である。
【図面の簡単な説明】
【００３０】
【図１】本発明の一実施形態のモータのアース構造を示す要部の断面図である。
【図２】上記アース構造を適用したモータの底面図である。
【図３】（ａ）は上記アース構造に用いられるアースターミナルの側面図、（ｂ）は同アースターミナルの断面図である。
【図４】上記アースターミナルを締結固定する前の図２中Ｘ−Ｘ線に沿う断面図である。
【図５】従来のモータのアース構造の断面図である。
【符号の説明】
【００３１】
１０  モータ
１１  ヨーク
１１ａ  開口部
１１ｂ  フランジ部
１２  ヨーク固定用ネジ
１３  ナット
１４  ギヤケース
１４ｆ  突起
１５  基板固定用ネジ
１６  プリント基板
１７  グランドパターン
２０  アースターミナル
２１  コ字状のナット接続部（一端部側）
２２  湾曲状の基板接続部（他端部側）
２３  逆コ字状の折曲部（中央部）
【図１】
2007181343.tif 000003
【図２】
2007181343.tif 000004
【図３】
2007181343.tif 000005
【図４】
2007181343.tif 000006
【図５】
2007181343.tif 000007